【事件の表示】
　特願２００２−１０７６００「電子部品実装装置」拒絶査定不服審判事件〔平成１５年１０月２４日出願公開、特開２００３−３０４０９２〕について、次のとおり審決する。
【結　論】
　本件審判の請求は、成り立たない。
【理　由】
１．手続の経緯 
　本願は、平成１４年４月１０日の出願であって、平成１８年９月２８日付けで拒絶理由通知がなされ、平成１８年１１月３０日付けで手続補正がなされ、平成１８年１２月１９日付けで拒絶査定がなされ、これに対し、平成１９年１月２５日に拒絶査定に対する審判請求がなされたものである。
 　
２．本願発明 
　本願発明は平成１８年１１月３０日付けで補正された明細書の特許請求の範囲の請求項１〜２に記載された事項により特定されるものと認められるところ、そのうちの請求項２に係る発明（以下、「本願発明２」という。）は、次のとおりのものである。 
　「【請求項２】部品供給部に装着されたテープフィーダから移載ヘッドによって電子部品をピックアップして基板に実装する電子部品実装装置であって、
電子部品を保持し供給リールから引き出されたテープをピッチ送りすることにより電子部品を前記移載ヘッドによるピックアップ位置に供給するテープフィーダと、
前記部品供給部に設けられテープフィーダの本体部がテープ送り方向を前方とする前後方向にスライド自在に装着されるフィーダベースと、
前記本体部をこのフィーダベースに沿って前記前後方向に案内するガイド機構と、
前記フィーダベースからテープフィーダへ圧空を供給しフィーダベースの後端部に設けられたベース側カプラと
テープフィーダの後端部に下方に突出して設けられたフィーダ側カプラによって
断接自在な圧空供給回路と、
前記テープフィーダの本体部の後端部に配設されて前記フィーダベースの後端部に係止される係止機構とを備え、
　前記フィーダ側カプラの嵌入部の前端部は外周部がテーパカットされた導入部となっており、また前記嵌入部が嵌合する前記ベース側カプラの嵌合穴の後端部はテーパカットされた導入部となっており、
また前記係止機構に取りつけられた保持ブラケットには前記フィーダ側カプラに設けられた隔壁継手が装着される開口部が設けられており、この隔壁継手の外径ｒ２を前記開口部の内径ｒ１よりも変化代だけ小さく設置することにより、前記ベース側カプラと前記フィーダ側カプラのいずれかが前記変位代だけ変位自在に保持されていることを特徴とする電子部品実装装置。」 
　 
３．原査定の理由の概要  
　原審の拒絶査定の理由の概要は、本願の請求項１〜２に係る発明は、その出願前日本国内又は外国において頒布された下記の刊行物１〜３に記載された発明に基いて、その出願前にその発明の属する技術の分野における通常の知識を有する者が容易に発明をすることができたものであるから、特許法第２９条第２項の規定により特許を受けることができないというものである。　　　　　　　　　　　　　　　 
　刊行物１：特開平１１−３１２８９４号公報
　刊行物２：特開２０００−１１４７８１号公報 
　刊行物３：実願平４−３２１０３号（実開平５−４１０７７号）のＣＤ−ＲＯＭ
　
４．刊行物とその記載事項 
　原審の拒絶査定に引用された刊行物１（以下、引用例１という。）には次の事項が記載されている。 
〔１〕引用例１：特開平１１−３１２８９４号公報
〔１ａ〕「【請求項４】  電子部品を多数収容した電子部品供給機を、電子部品実装機の本体における所定位置へ着脱自在に設ける電子部品供給機取付装置にあって、
前記電子部品実装機の本体に付設した取付部と、前記電子部品供給機の機枠に設けた接続部と、これら取付部と接続部とに複数箇所へ着脱自在に設けた電子部品実装機に対する電子部品供給機の所定位置への位置決め手段と、前記取付部と接続部とに設けた電気接続手段と、前記取付部と接続部とに設けた電子部品実装機に対して電子部品供給機を固着する固定手段とからなり、
前記電気接続手段は、前記電子部品実装機の本体における取付部に設けた電気回路の供給体と、前記電子部品供給機の機枠における接続部に設けた電気回路の受給体とを備え、
前記位置決め手段は、その複数箇所の一箇所または全箇所において、前記電子部品実装機の本体における取付部に設けた流体圧回路の供給体と、前記電子部品供給機の機枠における接続部に設けた流体圧回路の受給体とからなる流体圧接続手段を備えさせたことを特徴とする電子部品供給機取付装置。」
　
〔１ｂ〕「【請求項６】  流体圧接続手段は、供給体か受給体にソケットを設け、受給体か供給体にプラグを設けて、前記ソケットには、前記プラグのソケットへの接続により流路を開放し、前記プラグのソケットからの切離しによる弾機の押圧力により流路を閉塞する弁体を設けたことを特徴とする請求項３または４記載の電子部品供給機取付装置。」
　
〔１ｃ〕「【００２１】図１および図３においてＡは、本発明に係る一実施例の電子部品供給機取付方法を採用した電子部品供給機取付装置であり、電子部品をプリント基板上に装着する電子部品実装機Ｆにおいて、例えば、図１に示すように、電子部品供給機Ｄにあって、電子部品を所定ピッチで多数収容してテープリールｅに巻き付けられたテーピング部材ｔを、機枠１へ繰り出し自在に取り付けてある。  
【００２２】そして、この電子部品供給機Ｄは、プリント基板への電子部品の供給効率等を高めるために、電子部品実装機Ｆの一側または両側に多数組並設された状態で設けられているもので、電子部品実装機Ｆの本体２における所定位置に対して、位置決め手段３と固定手段４とにより着脱自在に設けられる。」
　
〔１ｄ〕「【００２３】また、これら多数設けられた電子部品供給機Ｄの一基ごとに、…種々の機構が配設されているもので、これに対する電気回路や流体圧回路が設けられているものであって、これら手段の駆動源および制御手段には、電気や空気等の流体圧が利用されている。」
　
〔１ｅ〕「【００２７】前記した位置決め手段３は、電子部品実装機Ｆに対して、電子部品供給機Ｄをあらかじめ定められた所定位置へ取り付けるもので、複数箇所において、少なくとも取付部５の前後二箇所において行なわれるもので、その前部は、図５に示すように、取付部５の立ち上がり片８に穿設させた受孔９へ、機枠１の接続部６に植設して、ピン状に形成された係合子１０が係脱自在に挿嵌することで位置決めがなされる。
【００２８】また、後部の位置決め手段３は、図６に示すように、機枠１におけるの接続部６の垂直面６ａ側に植設したピン状に形成された係合子１１を、本体２の取付部５に設けた受孔１２へ係脱自在に挿嵌することで位置決めがなされる。
【００２９】これにより、電子部品供給機Ｄの電子部品実装機Ａへの取り付けに際して、機枠１における接続部６の下面部６ｂにより、垂直面６ａが被覆されているので、あやまって落下した電子部品やゴミ等の異物は、この電気接続手段７への混入や付着がないもので、これに起因する電気回路の電気的事故（短絡事故）等の動作不良を生じることがない。」
　
〔１ｆ〕「【００３３】なお、この電気接続手段７は、取付部５と接続部６とに設けてあって、電子部品実装機Ｆに対して電子部品供給機Ｄを固着するもので、機枠１の上部に設けた操作部材１６により着脱部材１７が適宜起伏して、その結合の緊締と解除とを行なう。」
　
〔１ｇ〕「【００３８】したがって、前記のように構成される本発明実施例の第一の例の電子部品供給機取付装置Ａは、電子部品供給機Ｄの電子部品実装機Ｆへの取り付けに際して、固定手段４において、操作手段１６の操作部材２３を上方へ引き上げて略起立状態にし、着脱部材１７の押体２０を係止受け段部１９の上方位置に移動させておく。
【００３９】この状態から、操作部材２３と手持ち孔２７とを持って（操作部材２３のみでも可）機枠１全体を保持し、図８に示すように、電子部品実装機Ｆにおける取付部５へ接続部６を対応させ、取付部５の上面部５ａをガイドに接続部６の下面部６ｂを摺動移動させる。
【００４０】すると、前部および後部の位置決め手段３において、その受孔９，１２へ係合子１０，１１が挿嵌して、電子部品実装機Ｆにおける取付部５に対して電子部品供給機Ｄにおける接続部６の位置決めがなされるもので、固定手段４における操作手段１６を操作して、着脱部材１７を支軸１８を中心として回動し、その押体２０を係止受け段部１９に係合すると、電子部品供給機Ｄの固定がなされる。」
　
〔１ｈ〕「【００４３】また、固定手段４における操作手段１６を操作して、着脱部材１７を支軸１８を中心として回動し、その押体２０を係止受け段部１９から離隔させた後、電子部品供給機Ｄの機枠１を、図８において示す矢印と反対方向へ移動させる、すなわち、引き抜けば、前部および後部の位置決め手段３において、その受孔９，１２から係合子１０，１１が離脱して、電子部品実装機Ｆから電子部品供給機Ｄが切離しされ分離する。」
　そして、図８は、電子部品供給機取付装置の取付状態を示す説明図である。
　
〔１ｉ〕「【００５０】そして、前記した流体圧接続手段３０は、前記した位置決め手段３に付設された構成であって、本体２と機枠１とにおける取付部５と接続部６において、その接続位置を互いに相欠き状に形成してあり、図１０に示すように、この相欠き状の接続位置における垂直面６ａ側に設けられる。
【００５２】前記した流体圧接続手段３０は、供給体３１か受給体３２に、図１１に示すように、本実施例においては供給体３１側の位置決め手段３における受体１２に、内部に流体の流路３３ａを有するソケット３３を設けてあって、このソケット３３には、電子部品実装機Ａの本体２側に設けた図示してない流体圧源に配管を介して接続してある。
【００５３】また、受給体３２か供給体３１に、図１１に示すように、本実施例においては受給体３２側の位置決め手段３における係合子１１に、内部に流路３３ａに相通する流体の流路３４ａを有するプラグ３４を設けてあって、これらソケット３３とプラグ３４との挿嵌により流体圧源側からの流体が、電子部品供給機Ｄの種々機構の流体圧回路に供給される。
【００５４】更に、流体圧接続手段３０におけるソケット３３の内部には、プラグ３４のソケット３３への接続により流路３３ａを開放し、プラグ３４のソケット３３からの切離しによるコイルスプリング等の弾機３７の押圧力により流路３３ａを閉塞する弁体３５を設けてある。」
　
〔１ｊ〕「【００６１】なお、流体圧接続手段３０にあって、係合子１１とプラグ３４との嵌合は、図１２において詳細に示すように、該プラグ３４の前縁３４ｂに対する後側に連杆３４ｃを延設して、この連杆３４ｃを係合子１１の取付杆１１ａ内に挿嵌してあるもので、係合子１１とプラグ３４とには、これら径方向に対する所定の間隙４０が設けられていて、該径方向に対してプラグ３４はこの間隙４０の範囲内を移動自在に設けられている。
【００６２】これにより、プラグ３４をソケット３３内へ挿嵌するときは、これらプラグ３４とソケット３３との軸心が一致しないときであっても、間隙４０内のプラグ３４の移動により、こじられる等の無理のない接続が行なえて、両者３３，３４あるいはそのパッキン等の関連部材の損傷を防止できる。」
　
〔１ｋ〕「【００６３】この場合、プラグ３４の前縁３４ｂには所定の面取り（アール）を施しておけば、一層、プラグ３４とソケット３３との円滑かつ確実な挿嵌性が得られる。」
　
〔２〕引用例２：特開２０００−１１４７８１号公報
〔２ａ〕「【請求項１】供給リールに巻回され電子部品を保持したテープをピッチ送りすることにより電子部品を電子部品実装装置のピックアップ位置に供給するテープフィーダであって、供給リールと、テープをピッチ送りする本体部と、テープ送り方向を前方とする前後方向に本体部がスライド自在に装着されるフィーダベースと、前記本体部をフィーダベースに対して水平方向および上下方向に係止する係止手段と、前記本体部を後方にスライドさせたときに本体部のフィーダベースからの離脱を阻止し本体部をフィーダベースに保持させる脱落防止手段とを備えたことを特徴とするテープフィーダ。」
　
５．本願発明についての当審の判断      
（１）引用例１に記載された発明 
ア　引用例１の〔１ａ〕の「電子部品を多数収容した電子部品供給機を、電子部品実装機の本体における所定位置へ着脱自在に設ける電子部品供給機取付装置にあって、前記電子部品実装機の本体に付設した取付部と、前記電子部品供給機の機枠に設けた接続部と、これら取付部と接続部とに複数箇所へ着脱自在に設けた電子部品実装機に対する電子部品供給機の所定位置への位置決め手段と、…前記取付部と接続部とに設けた電子部品実装機に対して電子部品供給機を固着する固定手段とからなり、…前記位置決め手段は、その複数箇所の一箇所または全箇所において、前記電子部品実装機の本体における取付部に設けた流体圧回路の供給体と、前記電子部品供給機の機枠における接続部に設けた流体圧回路の受給体とからなる流体圧接続手段を備えさせたことを特徴とする電子部品供給機取付装置」の記載によれば、刊行物１には、「電子部品を多数収容した電子部品供給機」を「電子部品実装機の本体」における所定位置へ着脱自在に設ける「電子部品供給機取付装置」について、前記「電子部品実装機」の本体には「取付部」が付設し、前記「電子部品供給機」の機枠には「接続部」が設けられ、これら取付部と接続部とは、「位置決め手段」により所定位置に位置決めされるとともに、「固定手段」により固着され、前記位置決め手段は、「前記…取付部に設けた流体圧回路の供給体と、前記…接続部に設けた流体圧回路の受給体とからなる流体圧接続手段」を備えることが記載されているといえる。
　
イ　「電子部品供給機」について
　〔１ｃ〕によると、「電子部品供給機」は、「プリント基板への電子部品の供給効率等を高めるために、電子部品実装機Ｆの一側または両側に多数組並設された状態で設けられている」から、『電子部品実装機の電子部品供給部に装着される』ものといえるし、「電子部品を所定ピッチで多数収容してテープリールｅに巻き付けられたテーピング部材ｔを、機枠１へ繰り出し自在に取り付けてある」ものであるから、刊行物１に記載された「電子部品供給機」は、『電子部品を保持しテープリールから引き出されたテーピング部材をピッチ送りして機枠へ繰り出すことにより電子部品を供給する』ものであるといえる。
　　
ウ　「電子部品実装機」について
　〔１ｃ〕によると、「電子部品実装機」は、「電子部品をプリント基板上に装着する」ものであって、その電子部品は電子部品供給機から供給されるのであるから、『電子部品供給機から電子部品をプリント基板上に実装する』ものといえる。
　
エ　「取付部」について
　「取付部」に関して、〔１ｇ〕には、「本発明実施例の第一の例の電子部品供給機取付装置Ａは、電子部品供給機Ｄの電子部品実装機Ｆへの取り付けに際して、…電子部品実装機Ｆにおける取付部５へ接続部６を対応させ、取付部５の上面部５ａをガイドに接続部６の下面部６ｂを摺動移動させる。」と記載されており、図３の記載によると、上記摺動移動の方向がテーピング部材の送り方向を前方とする前後方向であることが明らかであるから、電子部品実装機の「取付部」は、『電子部品供給部に設けられ、電子部品供給機の機枠をテーピング部材の送り方向を前方とする前後方向にスライド自在に装着させる』ものであるとともに、電子部品供給機の機枠の接続部下面と電子部品実装機の取付部上面との間には、『機枠を取付部に沿って前記前後方向に案内するガイド機構』が設けられているといえる。
　
オ　「位置決め手段」について
　「位置決め手段」に関して、〔１ｅ〕には、「電子部品実装機Ｆに対して、電子部品供給機Ｄをあらかじめ定められた所定位置へ取り付けるもので、…少なくとも取付部５の前後二箇所において行なわれる」と記載され、「後部の位置決め手段」は、「（部品供給機の）機枠１におけるの接続部６の垂直面６ａ側に植設したピン状に形成された係合子１１を、（電子部品実装機の）本体２の取付部５に設けた受孔１２へ係脱自在に挿嵌することで位置決めがなされる」（注：（）内は意味を補った。以下、同様。）ものであることが記載され、さらに、「機枠１における接続部６の下面部６ｂにより、垂直面６ａが被覆されている」の記載、及び図６，１０の記載によれば、「ピン状に形成された係合子」は、『機枠の接続部の下方の垂直面に設けられている』といえる。
　
カ　「固定手段」について
　〔１ｆ〕によると、固定手段は、「機枠１の上部に設けた操作部材１６により着脱部材１７が適宜起伏して、その結合の緊締と解除とを行なう」ものであって、その作用は、〔１ｇ〕によると、「固定手段４における操作手段１６を操作して、着脱部材１７を支軸１８を中心として回動し、その押体２０を係止受け段部１９に係合すると、電子部品供給機Ｄの固定がなされる」とともに、〔１ｈ〕によると、「固定手段４における操作手段１６を操作して、着脱部材１７を支軸１８を中心として回動し、その押体２０を係止受け段部１９から離隔させた後、電子部品供給機Ｄの機枠１を、図８において示す矢印と反対方向へ移動させる、すなわち、引き抜けば、前部および後部の位置決め手段３において、その受孔９，１２から係合子１０，１１が離脱して、電子部品実装機Ｆから電子部品供給機Ｄが切離しされ分離する」ものである。
　そして、図８の記載によると、固定手段４は機枠１における接続部６の垂直面６ａに取り付けられて、取付部５の後端部の係止受け段部１９に係合しているから、「固定手段」は、『機枠における接続部の垂直面に取り付けられている』とともに『機枠の後端部に配設されて取付部の後端部に係止される』ものであり、位置決め手段である受穴と係合子とを着脱するものといえる。
　
キ　「流体圧接続手段」について
　「流体圧接続手段」は、〔１ｄ〕によると、「空気等の流体圧が利用されている」ものであり、「流体圧回路の供給体」及び「流体圧回路の受給体」は、〔１ｂ〕によると、プラグとソケットとの組で形成され、『流路の開放・閉塞を自在に行う』ものといえる。
　そして、〔１ｉ〕によると、「流体圧接続手段」は、「位置決め手段」に付設された構成であり、取付部と機枠において、その接続位置の垂直面側に互いに相欠き状に形成したものといえ、「流体圧回路の供給体」は、「位置決め手段３における受体１２（受孔１２）に、内部に流体の流路３３ａを有するソケット３３」を設けたものであるから、『本体の取付部の後部に設けられ、取付部から部品供給部の機枠の接続部へ空気流を圧送する流路を内部に有するソケット』であるといえ、また、「流体圧回路の受給体」は、「受給体３２側の位置決め手段３における係合子１１に、内部に流路３３ａに相通する流体の流路３４ａを有するプラグ３４」を設けたものであるから、『機枠の後端部の下方の垂直面に設けられたピン状の係合子の内部に空気流の流路を有するプラグ』といえる。
　また、〔１ｊ〕によると、受給体における「係合子１１とプラグ３４との嵌合は、…該プラグ３４の前縁３４ｂに対する後側に連杆３４ｃを延設して、この連杆３４ｃを係合子１１の取付杆１１ａ内に挿嵌して」行っており、前記係合子は、〔１ｅ〕によると、「機枠１におけるの接続部６の垂直面６ａ側に植設したピン状」のものであるから、『機枠の接続部の垂直面には、前記連杵を挿嵌する取付杵の開口部が設けられている』といえ、〔１ｊ〕の「係合子１１とプラグ３４とには、これら径方向に対する所定の間隙４０が設けられていて、該径方向に対してプラグ３４はこの間隙４０の範囲内を移動自在に設けられている。これにより、プラグ３４をソケット３３内へ挿嵌するときは、これらプラグ３４とソケット３３との軸心が一致しないときであっても、間隙４０内のプラグ３４の移動により、こじられる等の無理のない接続が行なえて…」の記載によれば、『連杵の外径を前記取付杵の開口部の内径より変化代だけ小さく設置することにより、受給体が前記変位代だけ変位自在に保持されている』といえる。
　さらに〔１ｋ〕によると、プラグの前縁、すなわちソケットへの嵌入部の前端部には所定の面取り（アール）を施して導入部とすることにより、プラグとソケットとの円滑かつ確実な挿嵌性が得られるものであるといえるところ、嵌入部の前端部に所定の面取り（アール）を施すと、外周部がテーパカットされた導入部となることは、明らかである。
　以上によると、刊行物１には、「流体圧回路の受給体」について、『受給体の嵌入部の前端部は外周部がテーパカットされた導入部となっており、また機枠における接続部の垂直面には、前記流体圧回路の受給体に設けられた連杵が装着される取付杵の開口部が設けられており、この連杵の外径を前記開口部の内径よりも変化代だけ小さく設置することにより、前記受給体が前記変位代だけ変位自在に保持されている』ことが記載されているといえる。
　
ク　以上の事項をまとめると、刊行物１には、
『電子部品供給部に装着された電子部品供給機から電子部品をプリント基板上に実装する電子部品実装機であって、
　電子部品を保持し供給リールから引き出されたテープをピッチ送りして機枠へ繰り出すことにより電子部品を供給する電子部品供給機と、
　前記電子部品実装機の部品供給部に設けられ、電子部品供給機の機枠がテーピング部材の送り方向を前方とする前後方向にスライド自在に装着される取付部と、
　前記機枠を前記取付部に沿って前記前後方向に案内するガイド機構と、
　前記取付部から部品供給部の機枠の接続部へ空気流を圧送する、本体の取付部の後部に設けられた流体圧回路の供給体と、前記機枠の後端部の下方の垂直面に設けられたピン状の係合子の内部に空気流の流路を有する流体圧回路の受給体と、によって流路の開放・閉塞を自在に行う流体圧接続手段と、
　前記機枠の後端部に配設されて前記取付部の後端部に係止される固定手段とを備え、
　受給体の嵌入部の前端部は外周部がテーパカットされた導入部となっており、
　また機枠における接続部の垂直面には、前記流体圧回路の受給体に設けられた連杵が装着される取付杵の開口部が設けられており、この連杵の外径を前記開口部の内径よりも変化代だけ小さく設置することにより、前記受給体が前記変位代だけ変位自在に保持されている電子部品実装機』
の発明が記載されているといえる（以下、これを「刊行物１発明」という。）。
　
（２）本願発明２と刊行物１発明との対比 
　本願発明２と刊行物１発明とを対比すると、後者の『電子部品供給機』、『電子部品実装機』、『電子部品供給機の機枠』、『取付部』、『流体圧回路の供給体』、『流体圧回路の受給体』、『流体圧接続手段』、『固定手段』、『連杵』及び『取付杵の開口部』は、それぞれ前者の「テープフィーダ」、「電子部品実装装置」、「テープフィーダの本体部」、「フィーダベース」、「ベース側カプラ」、「フィーダ側カプラ」、「圧空供給回路」、「衛視機構」、「隔壁継手」、及び「開口部」に相当する。
　したがって、両者は以下の一致点、及び相違点を有すると認められる。
　＜一致点＞
「電子部品供給部に装着されたテープフィーダから電子部品を基板に実装する電子部品実装装置であって、
　電子部品を保持し供給リールから引き出されたテープをピッチ送りすることにより電子部品を供給するテープフィーダと、
　前記部品供給部に設けられテープフィーダの本体部がテープ送り方向を前方とする前後方向にスライド自在に装着されるフィーダベースと、
前記本体部をこのフィーダベースに沿って前記前後方向に案内するガイド機構と、
　前記フィーダベースからテープフィーダへ圧空を供給しフィーダベースの後端部に設けられたベース側カプラとテープフィーダの後端部に下方に突出して設けられたフィーダ側カプラによって断接自在な圧空供給回路と、
前記テープフィーダの本体部の後端部に配設されて前記フィーダベースの後端部に係止される係止機構とを備え、
　前記フィーダ側カプラの嵌入部の前端部は外周部がテーパカットされた導入部となっており、
また前記フィーダ側カプラに設けられた隔壁継手が装着される開口部が設けられており、この隔壁継手の外径ｒ２を前記開口部の内径ｒ１よりも変化代だけ小さく設置することにより、前記ベース側カプラと前記フィーダ側カプラのいずれかが前記変位代だけ変位自在に保持されている電子部品実装装置。」
　
　＜相違点＞
１．前者は、テープフィーダから「移載ヘッドによって」電子部品を「ピックアップして」基板に実装する電子部品実装装置であって、テープフィーダが電子部品を「前記移載ヘッドによるピックアップ位置に」供給するを備えるのに対して、後者は、テープフィーダからどのような手段で電子部品をどのようにして基板に実装するのか、テープフィーダが電子部品をどこに供給するのか、明らかでない点
２．前者では、ベース側カプラにおいて、「嵌入部が嵌合するベース側カプラの嵌合穴の後端部はテーパカットされた導入部となって」いるのに対して、後者では、嵌合穴の後端部の形状が不明である点
３．前者では、フィーダ側カプラに設けられた隔壁継手が装着される開口部が「係止機構に取りつけられた保持ブラケット」に設けられるのに対して、後者では、機枠の接続部の垂直面に設けられる点
　
（３）相違点についての判断 
（ｉ）相違点１について
　刊行物２の〔２ａ〕に記載されるように、テープフィーダが電子部品をピックアップ位置に供給するものであることは、本願出願前周知の事項であり、テープフィーダから電子部品をピックアップする機構が「移載ヘッド」であることも、本願出願前周知慣用の事項である（要すれば特開平８−２３６９８５号公報【０００３】参照）から、刊行物１発明において、テープフィーダにより「ピックアップ位置」に供給された電子部品を、「移載ヘッド」により「ピックアップ」し、プリント基板に実装することは、上記の周知慣用の事項に基づいて、当業者が容易になし得る設計的事項と認められる。
　
（ii）相違点２について
　プラグとソケットとの嵌合において、円滑かつ確実な相関性を得るために、プラグの先端部とソケットの嵌合穴後端部にそれぞれテーパカットを施すことは、例えば、実願平１−３７３０６号（実開平１−１６４６８６号）のマイクロフィルムの明細書第９頁第６行〜第１０頁第４行、第２図に記載されるように、本願出願前周知慣用の事項と認められるから、刊行物１発明において、前端部がテーパカットされた嵌入部であるプラグ（フィーダ側カプラ）が嵌合するソケット（ベース側カプラ）の嵌合穴の後端部をテーパカットされた導入部とすることは、上記の周知慣用の事項に基づいて、当業者が容易になし得る設計的事項と認められる。
　
（iii）相違点３について
　刊行物１発明において、本願発明２の「隔壁継手」に相当する『連杵』は、「５．（１）キ」によれば、プラグ（フィーダ側カプラ）の前縁に対する後側に延設して、フィーダ側の位置決め手段である係合子を機枠における接続部の垂直面に取り付けるための取付杵による開口部内に挿嵌されたものであるところ、「５．（１）オ」、「５．（１）カ」によれば、この機枠における接続部の垂直面には、本願発明２の「係止機構」に相当する『固定手段』が取り付けられ、固定手段の操作により、フィーダベース側の位置決め手段である受穴と、テープフィーダ側の位置決め手段である係合子との係脱を操作してテープフィーダとフィーダベースとを着脱を行うとともに、フィーダ側カプラのプラグとフィーダベース側カプラのソケットとを着脱するものと認められる。
　そうすると、刊行物１発明において、プラグに連接する連杵が装着される開口部は、固定手段の操作によるテープフィーダとフィーダベースとの着脱に伴って、プラグとソケット（フィーダベース側カプラ）との着脱も行える部材、すなわち、固定手段の操作によりプラグとソケットとの着脱方向に可動な部材に設ければよいといえるから、開口部の設置は、固定手段を取り付けた機枠における接続部の垂直面であってもよいし、固定手段に取り付けられた、開口部を形成し得る面状体であってもよいことは、当業者が容易に想到し得るところと認められる。
　したがって、刊行物１発明において、連杵（隔壁継手）が装着される開口部を、固定手段（係止機構）を取り付けた機枠における接続部の垂直面に設けることに代えて、固定手段に取り付けられた面状体、すなわち保持ブラケットに設けるとすることは、当業者が容易になし得る設計的事項と認められる。
　
６．むすび 
　以上のとおりであるから、本願発明２は、本出願前に国内で頒布された刊行物である引用例１及び２に記載された発明及び周知慣用の事項に基づいて当業者が容易に発明をすることができたものであり、特許法第２９条第２項の規定により特許を受けることができない。
　したがって、その他の発明について検討するまでもなく、本願は拒絶すべきものである。 
　よって、結論のとおり審決する。